(57)【要約】【課題】非使用時に省スペース化を図ることができるマッサージ器を提供する。【解決手段】マッサージ器１は、マッサージ部４と、マッサージ部４の底部に取り付けられた流体供給排出手段５とを備えている。マッサージ部４は、身体のマッサージを行う部分であり、樹脂によって立体的な形状に形成されている。マッサージ部４の内部４ａは中空状になっており、台座部４１の貫通穴４１ａはマッサージ部４の開口部を構成している。このマッサージ部４は、内部４ａに流体が供給されていない状態では折り畳みが可能になっている。流体供給排出手段５は、マッサージ部４の貫通穴４１ａに接続してマッサージ部４の内部４ａに流体を供給したり、内部４ａに供給された流体を外部に排出したりするものである。【選択図】図３
2013223649.tif 000002
【特許請求の範囲】
【請求項１】
身体のマッサージを行うために樹脂により立体的な形状に形成され、且つ、折り畳みが可能なように内部が中空状に形成されて当該内部と外部とをつなぐ開口部が設けられたマッサージ部と、
前記マッサージ部の前記開口部に接続して前記内部に流体を供給したり前記内部に供給された前記流体を外部に排出したりする流体供給排出手段と
を備えることを特徴とするマッサージ器。
【請求項２】
請求項１に記載のマッサージ器において、
折り畳まれた前記マッサージ部を覆う蓋と、前記蓋を前記流体供給排出手段に固定する蓋固定手段とをさらに備えることを特徴とするマッサージ器。
【請求項３】
請求項１または請求項２に記載のマッサージ器において、
前記マッサージ部の側面を蛇腹状に形成したことを特徴とするマッサージ器。
【請求項４】
請求項１〜請求項３のいずれか１項に記載のマッサージ器において、
前記流体供給排出手段を把持可能な形状に形成したことを特徴とするマッサージ器。
【請求項５】
請求項１〜請求項４のいずれか１項に記載のマッサージ器において、
前記流体供給排出手段は前記流体に空気を利用するものであり、前記マッサージ部の前記開口部に開閉手段を介して一端が接続されたシリンダーと、前記シリンダーの他端から内部に挿入されて前記開閉手段を押圧可能なピストンとを備え、
前記開閉手段は、前記ピストンによる押圧が繰り返し行われたときに前記マッサージ部の内部と前記シリンダーの内部とを接続して前記ピストンで押された前記シリンダーの内部の空気を前記マッサージの内部へ供給し、前記ピストンで押圧された状態では前記マッサージ部の内部に入っている空気を前記シリンダーと前記ピストンとの間から外部へ排出するように構成されることを特徴とするマッサージ器。
【発明の詳細な説明】
【技術分野】
【０００１】
本発明は、身体のマッサージを行うときに使用されるマッサージ器に関する。
【背景技術】
【０００２】
従来から、身体のマッサージを行うときには、マッサージ効果（新陳代謝、疲労回復、血行促進、ストレス解消等）を高めるためにマッサージ器が使用されている。
【０００３】
マッサージ器は、身体のマッサージを行う部分であるマッサージ部を備えている。このマッサージ部には、上記のようなマッサージ効果を高めるために、棒状や湾曲形状等の立体的な形状に形成されたものがある（例えば特許文献１、２参照）。
【先行技術文献】
【特許文献】
【０００４】
【特許文献１】特開２００３−１５３９８２号公報
【特許文献２】実用新案登録第３０３２３２８号公報
【発明の概要】
【発明が解決しようとする課題】
【０００５】
しかしながら、上記のようなマッサージ器は、マッサージ部の内部が中実状に形成されているため、運搬や保管等の非使用時に折り畳むことができず、ある程度のスペースを必要としていた。
【０００６】
本発明は、このような従来の課題に鑑みてなされたものであり、非使用時に省スペース化を図ることができるマッサージ器を提供することを目的とする。
【課題を解決するための手段】
【０００７】
本発明者等は、鋭意研究の結果、前記課題を解決するために以下のようなマッサージ器を採用した。
【０００８】
本発明のマッサージ器は、
身体のマッサージを行うために樹脂により立体的な形状に形成され、且つ、折り畳みが可能なように内部が中空状に形成されて当該内部と外部とをつなぐ開口部が設けられたマッサージ部と、
前記マッサージ部の前記開口部に接続して前記内部に流体を供給したり前記内部に供給された前記流体を外部に排出したりする流体供給排出手段と
を備えることを特徴としている。
【０００９】
さらに、本発明のマッサージ器は、折り畳まれたマッサージ部を覆う蓋と、蓋を流体供給排出手段に固定する蓋固定手段とをさらに備えることが好ましい。
【００１０】
また、本発明のマッサージ器は、マッサージ部の側面を蛇腹状に形成したり、流体供給排出手段を把持可能な形状に形成しても良い。
【００１１】
また、本発明のマッサージ器は、流体供給排出手段として流体に空気を利用するものを使用しても良い。その場合には、流体供給排出手段は、マッサージ部の開口部に開閉手段を介して一端が接続されたシリンダーと、シリンダーの他端から内部に挿入されて開閉手段を押圧可能なピストンとを備えるものが好ましい。
【００１２】
ここで、開閉手段は、ピストンによる押圧が繰り返し行われたときにマッサージ部の内部とシリンダーの内部とを接続してピストンで押されたシリンダーの内部の空気をマッサージの内部へ供給し、ピストンで押圧された状態では、マッサージ部の内部に入っている空気をシリンダーとピストンとの間から排出するように構成するのが好ましい。
【発明の効果】
【００１３】
本発明のマッサージ器では、マッサージ部の内部を中空状に形成して内部に流体を供給したり内部に供給された流体を外部に排出するように構成した。したがって、使用時にはマッサージ部の内部に流体を供給する一方で、非使用時にはマッサージ部の内部から流体を排出することによりマッサージ部を折り畳んでおくことが可能になり、マッサージ器の大きさを小さくすることができる。よって、本発明のマッサージ器は、非使用時に省スペース化を図ることができる。
【図面の簡単な説明】
【００１４】
【図１】本発明の一実施の形態を示すマッサージ器の正面図である。
【図２】同実施の形態のマッサージ器の分解図である。
【図３】同実施の形態のマッサージ器本体の断面図である。
【発明を実施するための形態】
【００１５】
以下、本発明の実施の形態を図にしたがって説明する。
【００１６】
図１は、本発明の一実施の形態を示すマッサージ器１の正面図である。このマッサージ器１は小型のものであり、マッサージ器本体２と、マッサージ器本体２に着脱可能に装着された蓋３とを備えている。
【００１７】
図２はマッサージ器１の分解図であり、図３はマッサージ器本体２の断面図である。図２と図３を用いてマッサージ器本体２の構成を説明する。マッサージ器本体２は、マッサージ部４と、マッサージ部４の底部に取り付けられた流体供給排出手段５とを備えている。
【００１８】
マッサージ部４は、身体のマッサージを行う部分である。このマッサージ部４は、シリコン等の樹脂によって立体的な形状に形成されている。
【００１９】
具体的に説明すると、マッサージ部４は、底部を構成する台座部４１と、台座部４１の上面の中央部分から突出して一体形成されたマッサージ部本体４２とを備えている。
【００２０】
台座部４１は円盤状に形成されている。台座部４１の中央部分には貫通穴４１ａが設けられている。台座部４１の周縁部４１ｂは下側へ折り曲げられており、周縁部４１ｂ以外の部分４１ｃとの間に隙間Ｓが形成されている。
【００２１】
マッサージ部本体４２は、外観がボールペン状（先端部分４２１が細い丸棒状）に形成されている。マッサージ部本体４２の側面４２ａは蛇腹状に形成されている。
【００２２】
マッサージ部本体４２の内部４２ｂは中空状に形成されている。マッサージ部本体４２の下面には開口部４２ｃが設けられている。この開口部４２ｃは、マッサージ部本体４２の内部４２ｂと、台座部４１の貫通穴４１ａとをつなぐように形成されている。
【００２３】
この開口部４２ｃにより、マッサージ部４の内部４ａは、マッサージ部本体４２の内部４２ｂおよび開口部４２ｃと台座部４１の貫通穴４１ａとから形成され、中空状になっている。また、貫通穴４１ａはマッサージ部４の内部４ａと外部とをつないでおり、マッサージ部４の開口部を構成している。
【００２４】
このように構成されているマッサージ部４は、内部４ａ（マッサージ部本体４２の内部４２ｂ）に流体が供給されていない状態では折り畳みが可能になっている。
【００２５】
次に、流体供給排出手段５について説明する。流体供給排出手段５は、マッサージ部４の貫通穴４１ａに接続してマッサージ部４の内部４ａに流体を供給したり、内部４ａに供給された流体を外部に排出したりするものである。
【００２６】
この流体供給排出手段５は流体に空気を利用したものである。この流体供給排出手段５は、マッサージ部４の貫通穴４１ａに開閉手段６を介して一端が接続されたシリンダー７と、シリンダー７の他端から内部に挿入されたピストン８とを備えている。
【００２７】
開閉手段６は、マッサージ部４の開閉を行うものである。この開閉手段６は、台座部４１の周縁部４１ｂ内の隙間Ｓに嵌め込まれたフレーム６１と、フレーム６１の上面にねじ６０で固定されたキャップ６２と、キャップ６２内に配置された開閉手段本体６３と、フレーム６１を下から覆って台座部４１に装着されたケース６４とを備えている。
【００２８】
フレーム６１は樹脂製であり、下方へ突出した帽子状に形成されている。このフレーム６１は、鍔部６１１の周縁部６１１ａが台座部４１の周縁部４１ｂ内の隙間Ｓに嵌め込まれている。
【００２９】
フレーム６１の首部６１２は筒状に形成されており、両端が開口している。首部６１２の内周面にはネジ部６１２ａが形成されている。
【００３０】
キャップ６２は樹脂製であり、上方へ突出した帽子状に形成されている。キャップ６２の鍔部６２１は、フレーム６１の鍔部６１１の上面に中心が合うようにネジ６０で固定されている。キャップ６２の鍔部６２１と、フレーム６１の鍔部６１１の底部とには、ネジ６０を通すネジ穴６２１ａ，ネジ筒部６１３がそれぞれ設けられている。キャップ６２の頭部６２２内には上面の中央部分に突起６２３が設けられている。頭部６２２の上面の中央部分の周りには空気孔６２４が設けられている。
【００３１】
開閉手段本体６３はキャップ６２の頭部６２２内に配置されている。この開閉手段本体６３は、コイルスプリング６３１、樹脂製のパッキン６３２、金属製のボール６３３を備えている。
【００３２】
コイルスプリング６３１は、頭部６２２内の突起６２３に嵌め込まれている。パッキン６３２は頭部６２２内に嵌め込まれており、中央部分に貫通孔６３２ａが設けられている。ボール６３３は、パッキン６３２の貫通孔６３２ａに嵌め込まれてコイルスプリング６３１に当接している。
【００３３】
ケース６４はフレーム６１を覆うように中空状に形成されている。ケース６４の上面は開口しており、下面の中央部分６４ａは下方へ突出して形成されている。この中央部分６４ａの底面には開口部６４ｂが形成されている。この開口部６４ｂの上側（内側）の周縁にはフレーム６１の首部６１２の下端が当接している。ケース６４の上縁部６４ｃは、台座部４１の周縁部４１ｂに外側から嵌め込まれている。上縁部６４ｃの外周面全体にはネジ部６４ｄが形成されている。
【００３４】
ここで蓋３の構成について説明する。この蓋３は、折り畳まれたマッサージ部４を上から覆うことが可能なように下方が開口したお椀型に形成されている。蓋３の下周縁部（開口縁部）の内周面にはネジ部３ａが設けられている。このネジ部３ａは、上記のケース６４のネジ部６４ｄに螺合するように形成されている。双方のネジ部３ａ，６４ｄは本発明の蓋固定手段を構成している。
【００３５】
シリンダー７は樹脂製であり、ケース６４を介してフレーム６１の首部６１２内に挿入されて固定されている。このシリンダー７は、筒状の把持部７１と、把持部７１の上面の中央部分から上方へ延びた筒状の固定部７２とを備えている。
【００３６】
固定部７２は、フレーム６１の首部６１２の下側から内部に挿入されている。固定部７２の外周面にはネジ部７２ａが形成されている。このネジ部７２ａは、首部６１２内のネジ部６１２ａに螺合している。この螺合により、シリンダー７は首部６１２内に固定されている。
【００３７】
把持部７１は、使用者が把持するように形成されている。この把持部７１は、固定部７２が首部６１２内に固定された状態でケース６４の下面に当接している。把持部７１の下側の周縁で対向する部分には位置決め部７１ａ，７１ａが起立して設けられている。
【００３８】
ピストン８は樹脂製であり、シリンダー７内を軸方向にスライド移動可能に形成されている。このピストン８は、ピストン本体８１と、ピストン本体８１の下端部に装着された操作部８２と、操作部８２を介してピストン本体８１に嵌め込まれたパッキン８３とを備えている。
【００３９】
ピストン本体８１は筒状に形成されている。ピストン本体８１の上面の中央部分には突起８１ａが設けられている。突起８１ａの外側にはパッキン８４が嵌め込まれている。ピストン本体８１の周面の上部には嵌合溝８１ｂが形成されている。この嵌合溝８１ｂにはＯリング８５が嵌め込まれている。周面において嵌合溝８１ｂの下側には空気孔８１ｃが設けられている。また、ピストン本体８１の下面には開口部８１ｄが設けられている。
【００４０】
操作部８２はリング状に形成されて、ピストン本体８１の下端部に外側から嵌め込まれている。この操作部８２の対向する部分には、シリンダー７の把持部７１の位置決め部７１ａ，７１ａに当接可能な規制部８２ａ，８２ａが形成されている。
【００４１】
パッキン８３は、ピストン本体８１や操作部８２よりも柔らかい樹脂で形成され、嵌合部８３ａと、嵌合部８３ａの下面に結合した鍔部８３ｂとを備えている。嵌合部８３ａは操作部８２の中央穴８２ｂを介してピストン本体８１の開口部８１ｄに着脱可能に嵌め込まれており、鍔部８３ｂは操作部８２の中央穴８２ｂの周縁に当接している。
【００４２】
以上のように構成されているマッサージ器１において、次に、使用時の操作と非使用時の操作についてそれぞれ説明する。
【００４３】
まず、図３を用いてマッサージ器１の使用時の操作を説明する。使用者はピストン８の操作部８２を持ってピストン本体８１を引き上げて、ピストン本体８１の押し引き操作を繰り返し行う。
【００４４】
開閉手段６のボール６３３は、ピストン本体８１が押されたときに突起８１ａによって押圧され、初期位置からコイルスプリング６３１を押しながら上方（マッサージ部４の内部４ａを開ける方向）へ移動する。
【００４５】
これにより、マッサージ部４の内部４ａは開けられてシリンダー７の内部と接続し、ピストン本体８１で押されたシリンダー７の内部の空気がマッサージ部４の内部４ａへ供給される。この空気によりマッサージ部４は膨らんでいき、図３に示すような使用可能な形状に形成される。
【００４６】
マッサージ部４が使用可能な形状に形成されたときには、操作部８２の規制部８２ａ，８２ａをシリンダー７の位置決め部７１ａ，７１ａに当接させる。すると、ボール６３３は、コイルスプリング６３１のバネ力を利用して下方（マッサージ部４の内部４ａを開ける方向）へ移動して初期位置に戻る。
【００４７】
これにより、マッサージ部４の内部４ａはボール６３３によって閉じられるので内部４ａには空気が入ったままの状態になり、マッサージ部４の形状が維持される。したがって、使用者は、このマッサージ器１を使用することができる。
【００４８】
次に、マッサージ器１の非使用時の操作を説明する。使用者はピストン８の操作部８２を持って規制部８２ａ，８２ａをシリンダー７の位置決め部７１ａ，７１ａから離し、ピストン本体８１を限度まで押す。
【００４９】
これによりボール６３３は突起８１ａで押された状態のままになるので初期位置から上方へ移動したままになる。したがって、マッサージ部４の内部４ａとシリンダー７の内部とが接続した状態のままになる。その結果、マッサージ部４の内部４ａに入っている空気はシリンダー７とピストン８との間から外部に排出される。
【００５０】
このときに、マッサージ部本体４２を押して内部４ａの空気の排出を促すようにしても良い。その他には、パッキン８３を外して、内部４ａから出された空気をピストン本体８１の空気孔８１ｃを介してピストン本体８１の内部を経由して外部に排出させるようにしても良い。
【００５１】
内部４ａの空気がある程度排出されたら、図３の二点鎖線で示すようにマッサージ部本体４２を折り畳み、上から蓋３を被せてケース６４に螺合させて固定する。この結果、マッサージ部４は外部から見えない状態になる（図１参照）。
【００５２】
以上説明したように本実施の形態のマッサージ器１では、マッサージ部４の内部４ａを中空状に形成して内部４ａに空気を供給したり、内部４ａに供給された空気を外部に排出するようにした。したがって、使用時にはマッサージ部４の内部４ａに空気を供給する一方で、非使用時にはマッサージ部４の内部４ａから空気を排出することによりマッサージ部４を折り畳んでおくことが可能になり、マッサージ器１の大きさを小さくすることができる。よって、本実施の形態のマッサージ器１は、非使用時に省スペース化を図ることができる。
【００５３】
また、本実施の形態のマッサージ器１では、蓋３と蓋固定手段３ａ，６４ｄとを備えたので、図１で示したようにマッサージ部４を隠すことが可能になる。よって、本実施の形態のマッサージ器１は、非使用時の見苦しさを解消することができる。また、マッサージ部４が汚れてしまうことがないので常に清潔な状態で使用することができる。さらに、図１に示すように蓋３を下側にすることで、非使用時にはマッサージ器１を載置しておくことができる。
【００５４】
また、本実施の形態のマッサージ器１では、マッサージ部４の側面４２ａを蛇腹状に形成したので、マッサージ部４を容易に折り曲げることが可能になる。よって、本実施の形態のマッサージ器１は、マッサージ部４の折り畳み作業性を向上させることができる。さらに、折り畳んだマッサージ部４に蓋３を被せてケース６４に固定するときの作業性も向上させることができる。
【００５５】
また、本実施の形態のマッサージ器１では、図１や図３に示すように流体供給排出手段５を把持可能な形状に形成した。これにより使用時には流体供給排出手段５を持ってマッサージ部４を使用することが可能になる。よって、マッサージ器の持つ部分と流体供給排出手段とを別々に形成する場合に比べてマッサージ器１の小型化を図ることができる。
【００５６】
また、本実施の形態のマッサージ器１では、流体供給排出手段５がシリンダー７とピストン８とを備えて流体に空気を利用したものとした。これによりマッサージ部４を空気で膨らませることになるので、使用者の身体の状態に応じてマッサージ部４の硬さを自由に調整することが可能になる。よって、本実施の形態のマッサージ器１は、使い勝手を良くすることができる。
【００５７】
また、本実施の形態のマッサージ器１では、マッサージ部４の内部４ａを中空状にしたことにより空気による弾力性を利用してマッサージを行うので、マッサージの際に身体への抵抗を少なくすることができる。
【００５８】
以上、本発明にかかる実施の形態を例示したが、これらの実施の形態は本発明の内容を限定するものではない。また、本発明の請求項の範囲を逸脱しない範囲であれば、各種の変更等は可能である。
【００５９】
例えば、本実施の形態のマッサージ器１では蓋３を使用したが、必ずしも蓋３を使用しなくても良く、折り畳んだマッサージ部４をゴム等でマッサージ器本体２に固定するようにしても良い。また、マッサージ部４を膨らませる流体として空気を利用したが、その他に水や空気以外の気体を利用しても良い。
【００６０】
また、本実施の形態のマッサージ器１では、マッサージ部４（マッサージ部本体４２）の外観をボールペン状に形成して側面４２ａを蛇腹状に形成したが、マッサージ部の側面は必ずしも蛇腹状に形成しなくても良い。また、マッサージ部の形状は必ずしも本実施の形態の形状に限定しなくても良く、立体的な形状であれば良い。
【００６１】
例えば、図示しないが、大きさの異なる多数の球を上にいくにしたがって小さくなるように上下に連結して最下部に楕円球の上半分を結合したような形状でも良い。その他には、大きさの等しい多数の球の各上下部をハの字型にカットしたものを左右にジグザグになるように上下に連結して最下部に楕円球の上半分を結合し、最上部に楕円球の一側部をカットしたものを結合したような形状でも良い。また、身体の一部を模した形状でも良い。
【００６２】
また、本実施の形態のマッサージ器１では、流体供給排出手段５を把持可能な形状に形成したが、流体供給排出手段は必ずしも把持可能な形状に形成しなくても良い。例えば、図示しないが、流体供給排出手段を電動ポンプや取り外し式の手動ポンプから構成して、マッサージ部に接続するようにしても良い。
【産業上の利用可能性】
【００６３】
以上説明したように本発明のマッサージ器は、非使用時に省スペース化を図ることができる。したがって、本発明のマッサージ器は、マッサージ器の技術分野で十分に利用することができる。
【符号の説明】
【００６４】
１    マッサージ器
３    蓋
３ａ    蓋のネジ部（蓋固定手段）
４    マッサージ部
４ａ    マッサージ部の内部
５    流体供給排出手段
６    開閉手段
７    シリンダー
８    ピストン
４１ａ    マッサージ部の貫通穴（開口部）
４２ａ    マッサージ部の側面
６４ｄ    ケースのネジ部（蓋固定手段）
【図１】
2013223649.tif 000003
【図２】
2013223649.tif 000004
【図３】
2013223649.tif 000005